(57)【特許請求の範囲】
【請求項１】
金型内へ溶融樹脂を注入するバルブゲートと、該バルブゲートの開閉を行うバルブゲートピンを駆動するゲート駆動装置と、前記バルブゲートに溶融樹脂を供給する樹脂通路と、を備えると共に、
該樹脂通路が、前記バルブゲートピンが挿通配置されるピン孔に対して、途中から合流された樹脂成形用金型装置において、
前記ピン孔の、前記樹脂通路との合流部分から前記ゲート駆動装置までの間に、前記樹脂通路を流れる溶融樹脂が、合流部分からピン孔を通ってゲート駆動装置側へ漏れるのを防止するためのシールブッシュと、
該シールブッシュの前記バルブゲート側の端部と、前記ピン孔との間に介在し、前記シールブッシュによる押圧によって内径が狭まるように変形可能な金属製板状の第２のシール部材と、を有し、
前記シールブッシュの外周と前記ピン孔の側面には、互いに螺合するネジ部が形成され、
該ネジ部の螺合によって、前記シールブッシュによる押圧を調整可能とすることを特徴とする樹脂成形用金型装置。
【請求項２】
前記第２のシール部材は、前記シールブッシュの押圧に対して反力を発生させるものであることを特徴とする請求項１に記載の樹脂成形用金型装置。
【請求項３】
金型内へ溶融樹脂を注入するバルブゲートと、該バルブゲートの開閉を行うバルブゲートピンを駆動するゲート駆動装置と、前記バルブゲートに溶融樹脂を供給する樹脂通路と、を備えると共に、
該樹脂通路が、前記バルブゲートピンが挿通配置されるピン孔に対して、途中から合流された樹脂成形用金型装置において、
前記ピン孔の、前記樹脂通路との合流部分から前記ゲート駆動装置までの間に、前記樹脂通路を流れる溶融樹脂が、合流部分からピン孔を通ってゲート駆動装置側へ漏れるのを防止するためのシールブッシュを設け、
該シールブッシュの前記バルブゲート側の端部と、前記ピン孔との間に、押圧によって内径が狭まるように変形可能な金属製の第２のシール部材を介在させ、
前記シールブッシュ、または、前記第２のシール部材が、押圧時に前記第２のシール部材の内径が狭まる変形を補助する変形補助部を有することを特徴とする樹脂成形用金型装置。
【発明の詳細な説明】
【技術分野】
【０００１】
この発明は、樹脂成形用金型装置に関するものである。
【背景技術】
【０００２】
樹脂部品の製造には、一般に射出成形装置が用いられている。この射出成形装置は、（樹脂部品を射出成形するための所要の成形空間を備えた）金型を着脱交換できるようにした樹脂成形用金型装置を有している（例えば、特許文献１参照）。
【０００３】
このような樹脂成形用金型装置には、金型（の成形空間）内へ溶融樹脂を注入するためのバルブゲートと、このバルブゲートの開閉を行うバルブゲートピンを駆動するためのゲート駆動装置と、上記バルブゲートに溶融樹脂を供給するための樹脂通路と、が備えられている。
【０００４】
そして、この樹脂通路は、バルブゲートピンが挿通配置されるピン孔に対して、途中から合流されるようになっている。
【先行技術文献】
【特許文献】
【０００５】
【特許文献１】特開２０００−１６７８８２号公報
【発明の概要】
【発明が解決しようとする課題】
【０００６】
しかしながら、上記樹脂成形用金型装置では、以下のような問題があった。
即ち、上記したように、バルブゲートピンが挿通配置されるピン孔と、バルブゲートに溶融樹脂を供給するための樹脂通路とが、途中から合流されるような構造となっていることから、樹脂通路を流れる溶融樹脂が、合流部分からピン孔を逆に通ってゲート駆動装置側へ漏れるおそれがあった。
【０００７】
このような溶融樹脂の漏れは、通常の成形を行っている場合には、使用する溶融樹脂の粘度が比較的高いため特に問題にはならないが、通常の溶融樹脂よりも粘度が低い溶融樹脂を使用しなければならないような場合には、上記した漏れが生じるおそれが高いため、何らかの対策が必要になる。
【０００８】
そこで、本発明は、ピン孔からの溶融樹脂（特に、高い流動性を有する溶融樹脂）の漏れを防止できるようにすることを、主な目的としている。
【課題を解決するための手段】
【０００９】
上記課題を解決するために、本発明は、
金型内へ溶融樹脂を注入するバルブゲートと、該バルブゲートの開閉を行うバルブゲートピンを駆動するゲート駆動装置と、前記バルブゲートに溶融樹脂を供給する樹脂通路と、を備えると共に、
該樹脂通路が、前記バルブゲートピンが挿通配置されるピン孔に対して、途中から合流された樹脂成形用金型装置において、
前記ピン孔の、前記樹脂通路との合流部分から前記ゲート駆動装置までの間に、前記樹脂通路を流れる溶融樹脂が、合流部分からピン孔を通ってゲート駆動装置側へ漏れるのを防止するためのシールブッシュと、
該シールブッシュの前記バルブゲート側の端部と、前記ピン孔との間に介在し、前記シールブッシュによる押圧によって内径が狭まるように変形可能な金属製板状の第２のシール部材と、を有し、
前記シールブッシュの外周と前記ピン孔の側面には、互いに螺合するネジ部が形成され、
該ネジ部の螺合によって、前記シールブッシュによる押圧を調整可能とすることを特徴とする。
【発明の効果】
【００１０】
本発明によれば、上記構成によって、以下のような作用効果を得ることができる。
即ち、溶融樹脂は、樹脂通路を通してバルブゲートへ供給される。そして、ゲート駆動装置を駆動してバルブゲートピンを軸線方向へ移動し、バルブゲートを開かせることにより、樹脂通路の溶融樹脂が、バルブゲートから金型内へ注入され、樹脂部品の成形が行われる。この際、樹脂通路は、途中からピン孔に合流されているので、溶融樹脂は、ピン孔の一部を使って金型内へ送られることになる。
そのため、溶融樹脂がピン孔を逆流してゲート駆動装置の側へ漏れるおそれが生じる。
そこで、ピン孔の、樹脂通路との合流部分からゲート駆動装置までの間に、樹脂通路を流れる溶融樹脂が、合流部分からピン孔を通ってゲート駆動装置側へ漏れるのを防止するためのシールブッシュを設けるようにした。これにより、シールブッシュが、ピン孔とバルブゲートピンとの間に介在されて両者間の隙間を狭くすることで、ピン孔部分のシール性を向上することができる。よって、樹脂通路を流れる溶融樹脂が、合流部分からピン孔を通ってゲート駆動装置側へ漏れるのを効果的に防止することができる。
そして、シールブッシュのバルブゲート側の端部と、ピン孔との間に介在し、シールブッシュによる押圧によって内径が狭まるように変形可能な金属製板状の第２のシール部材を有するようにした。これにより、ピン孔とシールブッシュとの間に第２のシール部材を挟着状態で介在させて、シールブッシュによって第２のシール部材を押圧すると、第２のシール部材が圧縮変形されて内径が狭まるように変形される。よって、第２のシール部材を、より高いシール性が得られるものとすることができる。
更に、シールブッシュの外周とピン孔の側面に形成されたネジ部の螺合によって、シールブッシュによる押圧を調整することができる。
【図面の簡単な説明】
【００１１】
【図１】本発明の実施例にかかる樹脂成形用金型装置の全体構成図である。
【図２】本発明の実施例にかかる図１とは別の樹脂成形用金型装置の部分拡大断面図である。
【図３】図２の部分拡大断面図である。
【図４】本発明の実施例にかかる図１〜図３とは別の樹脂成形用金型装置の全体構成図である。
【図５】本発明の実施例にかかる図１〜図３とは別の樹脂成形用金型装置の部分拡大断面図である。
【図６】（ａ）は、本発明の実施例にかかるシールブッシュ部分の拡大断面図である。（ｂ）は、（ａ）で押圧変形される第２のシール部材の平面図である。
【図７】（ａ）は、本発明の変形例にかかるシールブッシュ部分の拡大断面図である。（ｂ）は、（ａ）で押圧変形された第２のシール部材の平面図である。
【図８】（ａ）は、本発明の他の変形例にかかるシールブッシュ部分の拡大断面図である。（ｂ）は、（ａ）で押圧変形された第２のシール部材の平面図である。
【図９】（ａ）は、本発明の別の変形例にかかるシールブッシュ部分の拡大断面図である。（ｂ）は、（ａ）で押圧変形される前の第２のシール部材の断面図である。
【発明を実施するための形態】
【００１２】
近年、自動車などの車両の車室前部に設置されるインストルメントパネルの表皮材を、射出成形によって製造できるようにする技術の開発が進められている。
【００１３】
このようなインストルメントパネルの表皮材は、薄いシート状の大判材であって、射出成形には適さない形状をしているため、射出成形による製造は技術的に難しいとされている。
【００１４】
そのため、上記したような表皮材は、これまで、シート材を真空引きしてインストルメントパネルの形に賦形したり（真空成形）、加熱した金型に樹脂粉末を溶融付着させてインストルメントパネルの形に成形したり（パウダースラッシュ成形）するなどして製造されていた。
【００１５】
しかし、真空成形を行う装置や、パウダースラッシュ成形を行う装置は、特殊であり、しかも、非常に高価であるため、世界中のどこの国でも表皮材を安価に製造できるようにするためには、世界に広く普及されていてしかも比較的価格の安い射出成形装置を用いる方が有利である。
【００１６】
そして、上記したように、薄くて大きな表皮材を射出成形によって製造するのが技術的に困難な理由の一つとして、極めて高い流動性を有する樹脂材料を使用しなければならないということが挙げられる。このように、高い流動性を有する樹脂材料を使用した場合、ほんの僅かな隙間があっても溶融樹脂がそこから容易に外へ漏れ出してしまうので、高度な漏れ対策が必要となる。
【００１７】
以下、本実施の形態、および、それを具体化した実施例を、図面を用いて詳細に説明する。
図１〜図９は、この実施の形態の実施例およびその変形例を示すものである。このうち、図１〜図５は、基本的には同様であるが、それぞれ若干異なる構造を有する各種の樹脂成形用金型装置である。また、図６〜図９は、この実施例の特徴部分およびその変形例を示すものである。
【実施例１】
【００１８】
＜構成＞以下、構成について説明する。
例えば、図１（〜図５のいずれか）に示すように、この実施例の樹脂成形用金型装置１は、金型２内へ溶融樹脂３を注入するバルブゲート４と、このバルブゲート４の開閉を行うバルブゲートピン５を駆動するゲート駆動装置６と、上記したバルブゲート４に溶融樹脂３を供給する樹脂通路７と、を備えたものとされる。
そして、この樹脂通路７が、上記したバルブゲートピン５が挿通配置されるピン孔８に対して、途中から合流されるようにする（合流部分９）。
【００１９】
ここで、上記についての補足説明を行う。
上記した「樹脂成形用金型装置１」は、文字通り、樹脂部品を射出成形するための金型装置のことである。この樹脂成形用金型装置１は、例えば、金型２を、バックプレート１１やスペーサブロック１２などを介して取付板１３に交換可能に取付ける構造を備えている。
【００２０】
上記した「金型２」は、固定型２ａと可動型２ｂとから成っており、この固定型２ａと可動型２ｂとの間に、射出成形する樹脂部品の形状をした成形空間１４（図２参照）が形成される。この場合、樹脂部品は、上記したように、インストルメントパネルの表皮材などとされる。この成形空間１４は、薄いシート状の大判材であるインストルメントパネルの表皮材の形状となるように、間隔が極めて狭く、しかも、面積が広い空間とされる。なお、樹脂部品は、通常よりも流動性の高い溶融樹脂３を使用するものであれば、インストルメントパネルの表皮材以外であっても良い。
上記した「金型２内」は、上記した成形空間１４のことである。
【００２１】
上記した「溶融樹脂３」は、文字通り、溶融した樹脂のことであり、樹脂部品の原料となる樹脂材料を溶融したものである。この場合、溶融樹脂３には、インストルメントパネルの表皮材となる樹脂材料を溶融したものが使われる。この、樹脂材料は、上記したように、間隔が極めて狭くしかも面積が非常に大きい成形空間１４の隅々にまで過不足なくしかも良好に行き渡らせることができるようにするために、通常のものよりもかなり粘度が低く、水に近い流動性を有するもの（高流動のもの）を使用しなくてはならない。
【００２２】
上記した「バルブゲート４」は、金型２の、成形空間１４に望む位置に設けられた弁機構であり、このバルブゲート４は、内部にピン孔８などとなる樹脂注入孔部を有するバルブボディ４ａと、樹脂注入孔部内に挿通配置された上記バルブゲートピン５と、を備えている。
上記した「バルブゲートピン５」は、バルブゲート４を開閉するためのピン状の弁体であり、樹脂成形用金型装置１内を直線状に延びるものとされる。
【００２３】
上記した「ゲート駆動装置６」は、エアシリンダや油圧シリンダなどのシリンダ装置とされている。ゲート駆動装置６は、その本体が、例えば、樹脂成形用金型装置１の上記した取付板１３などに取付けられると共に、そのロッド部分に、バルブゲートピン５が接続されている。図１の場合には、ゲート駆動装置６は、バルブゲートピン５の延長線と同心状に設置されている。
【００２４】
上記した「樹脂通路７」は、文字通り、樹脂成形用金型装置１内で樹脂が通る通路である。樹脂成形用金型装置１では、上記した取付板１３に、外部の図示しない射出注入装置によって射出される溶融樹脂３を注入するためのスプルー２１（スプルーブッシュ）が設けられており、樹脂通路７は、スプルー２１から注入された溶融樹脂３を、バルブゲート４（の樹脂注入孔部）へ送るように形成されている。そのために、樹脂通路７は、樹脂成形用金型装置１内を適宜迂回しながら延びるようなものとされている。
【００２５】
また、樹脂通路７の途中には、必要に応じて、溶融樹脂３の温度調整を行う、または、温度を所定状態に保持する機能を備えたホットランナー装置２２が設けられる。このホットランナー装置２２は、例えば、上記したスペーサブロック１２によってバックプレート１１と取付板１３との間に形成される空間２３内などに設置される。このホットランナー装置２２は、ホットランナーブロック２４に樹脂通路７の一部（やピン孔８の一部）などとなる孔部２４ａを形成すると共に、ホットランナーブロック２４に対して、溶融樹脂３を加熱可能なカートリッジヒーターなどの加熱装置を取付けたものなどとされる。上記した孔部２４ａには、樹脂通路７として使用されない部分などを塞ぐための止栓２５が適宜取付けられる。この止栓２５は、ピン孔８を有するもの（バルブゲートピン５が通るもの）としても（図１参照）、ピン孔８を有さないもの（バルブゲートピン５が通らないもの）としても（図２、図３参照）良い。
【００２６】
上記した「ピン孔８」は、バルブゲートピン５を通すために樹脂成形用金型装置１に設けられる孔部である。ピン孔８は直線状のバルブゲートピン５を案内できるように、直線状のものとされる。そして、バルブゲートピン５とピン孔８との間は、通常の粘度を有する溶融樹脂３が漏れない程度の間隔に設定されている。
【００２７】
この場合、上記したピン孔８の樹脂通路７と合流されていない後端側（ゲート駆動装置６側）の部分は、例えば、ホットランナー装置２２のホットランナーブロック２４などを貫通するように延設される。
【００２８】
上記した「途中から合流」は、文字通り、樹脂通路７とピン孔８とが、樹脂成形用金型装置１内で合流されることである。例えば、図１および図２（図３）の例の場合、樹脂通路７とピン孔８とは、ホットランナー装置２２の内部で合流されるようになっている（合流部分９）。また、図４および図５の例の場合、樹脂通路７とピン孔８とは、バルブゲート４（のバルブボディ４ａ）の内部で合流されるようになっている（合流部分９）。また、図４および図５の例では、バルブゲート４（のバルブボディ４ａ）の内部に、ピン孔８を有する上記と同様の止栓２６が取付けられている。
【００２９】
ここで、上記したピン孔８を有する止栓２５，２６は、通常の溶融樹脂３の漏れを防止することができる程度の通常のシール性を有するものであり、インストルメントパネルの表皮材に使われるような高い流動性を有する溶融樹脂３を使用することは想定されていないので、このような高い流動性を有する溶融樹脂３の漏れについては十分に防止することができないものである。
【００３０】
なお、図５の例のものは、ホットランナー装置２２を備える代りに、バルブゲート４に、バンドヒーター４ｈなどの加熱装置を取付けたホットノズルが使用されている。また、図５の例のものは、ゲート駆動装置６をバルブゲートピン５に直接接続する代りに、ゲート駆動装置６が、レバー２７を介してバルブゲートピン５に間接的に接続されている。これにより、ゲート駆動装置６を、バルブゲートピン５の延長線上に配置する必要がなくなるので、樹脂成形用金型装置１の（バルブゲートピン５の延設方向に対する）コンパクト化を可能としている。
【００３１】
そして、以上のような基本的な構成に対し、この実施例のものでは、以下のような構成を備えるようにしている。
【００３２】
（構成１）
図６に示すように（図１〜図５も併せて参照）、上記したピン孔８の、上記した樹脂通路７との合流部分９から上記したゲート駆動装置６までの間に、上記した樹脂通路７を流れる溶融樹脂３が、合流部分９からピン孔８を通ってゲート駆動装置６側へ漏れるのを防止するためのシールブッシュ３１を設けるようにする。
【００３３】
（補足説明１）
ここで、上記した「シールブッシュ３１」は、ピン孔８へ挿入設置されるシール用のブッシュ（筒状体）のことである。このシールブッシュ３１は、外径がピン孔８よりも大きく、内径が、ピン孔８よりも小さい（バルブゲートピン５の外径よりは大きい）ものとされる。これにより、シールブッシュ３１は、通常よりも高いシール性を有する高機能シール材となる。
【００３４】
これに対し、ピン孔８には、シールブッシュ３１を装着するためのブッシュ装着用孔部３２が形成される。このブッシュ装着用孔部３２は、ピン孔８の他の部分よりも径が大きなもの（シールブッシュ３１の外径とほぼ等しい内径を有するもの、拡大孔部）とされる。
【００３５】
この場合に、ブッシュ装着用孔部３２の内周部に対して、雌ネジ部３３を形成する。また、シールブッシュ３１の外周部に対して、雌ネジ部３３に螺着する雄ネジ部３４を形成する。即ち、シールブッシュ３１を、ネジ込み式のシール（ネジ込シール）として、ブッシュ装着用孔部３２に対してシールブッシュ３１を螺着することができるようにしている。
【００３６】
なお、図１の例の場合、シールブッシュ３１は、ホットランナーブロック２４の孔部２４ａに取付けられた止栓２５の部分に設けられている。また、図２（図３）の例の場合、シールブッシュ３１は、ホットランナーブロック２４に設けられている。同様に、図４の例の場合、シールブッシュ３１は、ホットランナーブロック２４に設けられている。そして、図５の例の場合、シールブッシュ３１は、バルブゲート４内の止栓２５の部分に設けられている。
【００３７】
（構成２）
更に、上記したシールブッシュ３１の上記したバルブゲート４側の端部と、上記したピン孔８との間に、押圧によって内径が狭まるように変形可能な金属製の第２のシール部材３６を介在させるようにする。
【００３８】
（補足説明２）
ここで、上記した「バルブゲート４側の端部」は、シールブッシュ３１の樹脂通路７との合流部分９側の端部（先端部）または端面（先端面）のことである。
【００３９】
上記した「ピン孔８」は、この場合、ピン孔８のうちの上記したブッシュ装着用孔部３２の部分のことである。上記したようにブッシュ装着用孔部３２は、ピン孔８の他の部分よりも径が大きいものとされているので、金属製の第２のシール部材３６は、ブッシュ装着用孔部３２の内奥部に形成される段差面３７と、シールブッシュ３１の先端部との間に介装されると共に、シールブッシュ３１を強く螺着することによって押圧状態で挟着される。なお、シールブッシュ３１の先端部は、基本的に、ブッシュ装着用孔部３２の段差面３７に当接または圧接可能な面を有するものとされる。また、例えば、図１や図５の例のように、シールブッシュ３１が止栓２５の部分に設けられている場合には、第２のシール部材３６は、止栓２５の頭部とシールブッシュ３１の先端部との間に介装される。
【００４０】
上記した「内径が狭まるように変形可能」は、押圧力または挟着力によって圧縮変形されることで、少なくとも、内径が狭まるように変形されることである。第２のシール部材３６の内径側への変形は、上記したバルブゲートピン５の外径に合うようなものとなる。なお、第２のシール部材３６は、外径が広がるようにも変形されるが、外径側への変形は、ブッシュ装着用孔部３２の内周部によって適宜規制される。
【００４１】
上記した「金属製の第２のシール部材３６」は、シールブッシュ３１よりも更に高いシール性を有する超高機能シール材となるものである。金属製の第２のシール部材３６には、厚さ１ミリ程度の金属薄板をリング状に形成して成るシールリングなどが用いられる。この第２のシール部材３６は、展性が高い金属によって形成される。しかも、この第２のシール部材３６は、バルブゲートピン５に対するカジリがなく、摩耗が少なく、滑り性の良い金属が使用される。第２のシール部材３６には、例えば、銅、銅合金、アルミ、アルミ合金、マグネシウム合金などを使用することができる。
【００４２】
なお、シールブッシュ３１と第２のシール部材３６とによる二重のシール構造は、多段に設けても良い。
【００４３】
（構成３）
図７〜図９に示すように、上記したシールブッシュ３１、または、上記した第２のシール部材３６が、押圧時に上記した第２のシール部材３６の内径が狭まる変形を補助する変形補助部４１を有するものとされる。
【００４４】
（補足説明３）
ここで、上記した「変形補助部４１」は、文字通り、第２のシール部材３６の上記した変形を補助し促進するための部分である。変形補助部４１は、シールブッシュ３１（の第２のシール部材３６側の面（先端面））と、第２のシール部材３６との少なくとも、一方に設けることができる。
【００４５】
このうち、シールブッシュ３１に設けられる変形補助部４１は、例えば、図７（ａ）に示すように、少なくとも、シールブッシュ３１の先端面の内周縁部に形成された変形許容部４１ａ（変形部分収容部）などとすることができる。この変形許容部４１ａは、シールブッシュ３１の先端面の内周縁部を所要量だけ角取りすることによって、第２のシール部材３６が内方へ変形できるスペースを確保・形成するようにしたものである（角取部）。なお、上記と同様の変形許容部４１ｂは、シールブッシュ３１の先端面の外周縁部に対しても形成することができる。この構成により、図７（ｂ）に示すように、第２のシール部材３６には、内周側縁部や外周側縁部に、押圧による変形部３６ａ，３６ｂが形成されることとなる。
【００４６】
また、シールブッシュ３１に設けられる変形補助部４１は、例えば、図８（ａ）に示すように、先端面の内周側縁部近傍に形成された強制変形部４１ｃなどとすることができる。この強制変形部４１ｃは、第２のシール部材３６の内周側部分の周辺を押圧することにより、内方への変形を促進可能な突起状のものとされる。この突起状の強制変形部４１ｃは、内方へ向けて変形させるための楔状の傾斜面を有するものとされる。この構成により、図８（ｂ）に示すように、第２のシール部材３６には、内周側縁部およびその周辺に、押圧による変形部３６ｃが形成されることとなる。なお、この強制変形部４１ｃは、上記した変形許容部４１ａや変形許容部４１ｂなどと適宜組み合わせることが可能である。
【００４７】
または、第２のシール部材３６に設けられる変形補助部４１は、例えば、図９（ｂ）に示すように、第２のシール部材３６を、湾曲形状部４１ｄを周方向へリング状に延ばしたような形状のものにすることができる。これにより、押圧による湾曲形状部４１ｄの潰れ（平坦化）によって、第２のシール部材３６の内径を積極的且つ確実に狭めることが可能となる。なお、この湾曲形状部４１ｄは、上記した変形許容部４１ａや変形許容部４１ｂや強制変形部４１ｃなどと適宜組み合わせることが可能である。
【００４８】
＜作用＞以下、この実施例の作用について説明する。
溶融樹脂３は、樹脂通路７を通してバルブゲート４へ供給される。そして、ゲート駆動装置６を駆動してバルブゲートピン５を軸線方向へ移動し、バルブゲート４を開かせることにより、樹脂通路７の溶融樹脂３が、バルブゲート４から金型２内へ注入され、樹脂部品（この場合には、インストルメントパネルの表皮材など）の成形が行われる。この際、樹脂通路７は、途中からピン孔８に合流されているので、溶融樹脂３は、ピン孔８の一部を使って金型２内へ送られることになる。
そのため、溶融樹脂３がピン孔８を逆流してゲート駆動装置６の側へ漏れるおそれが生じる。
【００４９】
＜効果＞この実施例によれば、以下のような効果を得ることができる。
（作用効果１）
ピン孔８の、樹脂通路７との合流部分９からゲート駆動装置６までの間に、樹脂通路７を流れる溶融樹脂３が、合流部分９からピン孔８を通ってゲート駆動装置６側へ漏れるのを防止するためのシールブッシュ３１を設けるようにした。これにより、シールブッシュ３１が、ピン孔８とバルブゲートピン５との間に介在されて両者間の隙間を狭くすることで、ピン孔８部分のシール性を向上することができる。よって、樹脂通路７を流れる溶融樹脂３が、合流部分９からピン孔８を通ってゲート駆動装置６側へ漏れるのを効果的に防止することができる。
【００５０】
なお、シールブッシュ３１は、内径を精密に加工したり、また、シールに必要な長さ確保したりすることが比較的容易にできるので、ピン孔８のみによってシールを行わせる場合と比べて、より有利にシール性を向上することができる。
【００５１】
（作用効果２）
シールブッシュ３１のバルブゲート４側の端部と、ピン孔８との間に、押圧によって内径が狭まるように変形可能な第２のシール部材３６を介在させるようにした。これにより、ピン孔８とシールブッシュ３１との間に第２のシール部材３６を挟着状態で介在させて、シールブッシュ３１によって第２のシール部材３６を押圧すると、第２のシール部材３６が圧縮変形されて内径が狭まるように変形される。よって、第２のシール部材３６を、より高いシール性が得られるものとすることができる。
【００５２】
そして、シールブッシュ３１と第２のシール部材３６とによって二重のシールが行われるので、高い流動性を有する溶融樹脂３に対しても、有効に漏れを防止することが可能となる。また、第２のシール部材３６は、樹脂成形用金型装置１の構造の大きな変更などを伴うことなく、容易に装着することが可能である。
【００５３】
この際、特に、金属製の第２のシール部材３６を、銅製シールリングなどとすることにより、銅製シールリングは、シールブッシュ３１のバルブゲート４側の端部と、ピン孔８との間に圧縮変形状態で介在されることによって、内周側および外周側に丁度良い具合に潰されてシールブッシュ３１とバルブゲートピン５との間の僅かな隙間をなくすように変形されるため、高い流動性を有する溶融樹脂３に対する漏れ防止効果を有効に発揮することができる。しかも、銅製シールリングは、安価で、入手がし易く、展性および耐摩耗性が良好であるため、第２のシール部材３６として使用するのに最適である。即ち、第２のシール部材３６によるコストアップを防止すると共に、第２のシール部材３６の長寿命化を図ることができる。
【００５４】
（作用効果３）
シールブッシュ３１、または、第２のシール部材３６を、押圧時に第２のシール部材３６の内径が狭まる変形を補助する変形補助部４１を有するものとした。これにより、シールブッシュ３１によって、ピン孔８とシールブッシュ３１との間に第２のシール部材３６を挟着して押圧することで、変形補助部４１が機能して、第２のシール部材３６の内径を確実に、より大きく狭めることができるようになる。よって、第２のシール部材３６のシール性の確実に向上させることができる。
【００５５】
以上、この発明の実施例を図面により詳述してきたが、実施例はこの発明の例示にしか過ぎないものである。よって、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００５６】
１    樹脂成形用金型装置
２    金型
３    溶融樹脂
４    バルブゲート
５    バルブゲートピン
６    ゲート駆動装置
７    樹脂通路
８    ピン孔
９    合流部分
３１  シールブッシュ
３６  第２のシール部材
４１  変形補助部
【図１】
0006002638.tif 000002
【図２】
0006002638.tif 000003
【図３】
0006002638.tif 000004
【図４】
0006002638.tif 000005
【図５】
0006002638.tif 000006
【図６】
0006002638.tif 000007
【図７】
0006002638.tif 000008
【図８】
0006002638.tif 000009
【図９】
0006002638.tif 000010